(57)【要約】【課題】  運転手の健康管理に関して飲酒状態の検査結果に基き飲酒運転禁止のアラームを運転手とその乗客に知らせる装置を具備した飲酒運転禁止装置付き乗りもの。【解決手段】  飲酒状態検査デバイス１による検査結果をセンサー２で視覚アラーム７、聴覚アラーム８、味覚アラーム９、触覚アラーム１０、嗅覚アラーム１１、の１つ又は２つ以上の組合わせアラーム、それに追加したエアバッグ５（構成センサー２、点火装置３、ガス発生剤４、ガス６、エアバッグ５）により運転手とその乗客に知らされる飲酒運転禁止装置付き乗りもの。【選択図】          図１
0003134141.tif 000002
【実用新案登録請求の範囲】
【請求項１】
飲酒状態検査デバイスを具え、その検査結果により飲酒運転禁止のアラームを運転手又はその乗客に知らせるアラーム装置を具備した飲酒運転禁止装置付き乗りもの。（鉄道・自動車・飛行機・船）
【請求項２】
飲酒状態検査デバイスの検査結果シグナル（ドリンクアラームと称しマニュアル又は自動的にＳＷ等で信号を伝える。）を前述のアラーム装置に理解できるセンサーアラーム変換装置を具備した飲酒運転禁止装置付き乗りもの。
【請求項３】
前述のセンサーアラーム変換装置により理解できる信号出力の対応としての視覚アラーム（赤色点滅ランプetc）を具備した飲酒運転禁止装置付き乗りもの。
【請求項４】
前述のセンサーアラーム変換装置により理解できる信号出力の対応としての聴覚アラーム（ブザー音発生ブザーetc）を具備した飲酒運転禁止装置付き乗りもの。
【請求項５】
前述のセンサーアラーム変換装置により理解できる信号出力の対応としての味覚アラーム（インクジェットプリンターのインクジェットデバイスetc）を具備した飲酒運転禁止装置付き乗りもの。
【請求項６】
前述のセンサーアラーム変換装置により理解できる信号出力の対応としての触覚アラーム（ヒーターetc）を具備した飲酒運転禁止装置付き乗りもの。
【請求項７】
前述のセンサーアラーム変換装置により理解できる信号出力の対応としての嗅覚アラーム（ヒーター点火による喫煙（タバコの煙）発生装置etc）を具備した飲酒運転禁止装置付き乗りもの。
【請求項８】
前述のセンサーアラーム変換装置により理解できる信号出力の対応としてのエアバッグ（センサー、点火装置、ガス発生剤、エアバッグ、ガスで構成駆動される。）を具備した飲酒運転禁止装置付き乗りもの。
【考案の詳細な説明】
【技術分野】
【０００１】
本考案は、従来の県警の飲酒状態検査システムに基く判定の飲酒運転禁止装置付き乗りものに関する。
【背景技術】
【０００２】
県警の警察官による飲酒状態検査の判定に基く飲酒運転禁止装置付き乗りものは、罰則執行としての運転禁止とするものである。
【考案の開示】
【考案が解決しようとする課題】
【０００３】
しかしながら、警察官による飲酒状態検査の判定は、テンポラリーの他力本願の飲酒運転禁止装置付き乗りものであり、マンマシンインターオペラビリティ向上が計れなかった。
【０００４】
本考案は上記実情に鑑みてなされたものであり、飲酒状態検査デバイスによる判定とそのアラーム発生装置のドライブが運転手のパーマネントの自力本願の飲酒運転禁止装置付き乗りものとし、マンマシンインターオペラビリティ向上を計る事を目的とするものである。
【課題を解決するための手段】
【０００５】
上記目的を達成するため考案は、飲酒状態検査デバイスによる判定信号をドリンクアラームセンサーアラーム変換装置により理解できる出力信号の対応としての視覚・聴覚・味覚・触覚・嗅覚アラーム又はエアバックのいずれかひとつ又は２つ以上具備した飲酒運転禁止装置付き乗りものである。
【考案の効果】
【０００６】
本考案により運転手又はその乗客が自力で常に（パーマネントに）飲酒状態検査とそのアラームを知る飲酒運転禁止装置付き乗りものをGETできる。
【考案を実施するための最良の形態】
【０００７】
本考案の実施の形態の一例について、図面を参照しながら説明する。
飲酒運転禁止装置付き乗りものは、図１に示すように、飲酒状態検査デバイス１、センサー２、点火装置３、ガス発生剤４、エアバック５、ガス６、視覚アラーム７、聴覚アラーム８．味覚アラーム９、触覚アラーム１０、嗅覚アラーム１１、ドリンクアラームセンサーアラーム変換装置１２である。
【図面の簡単な説明】
【０００８】
【図１】本考案の飲酒運転禁止装置付き乗りものを示す図である。
【符号の説明】
【０００９】
１      飲酒状態検査デバイス
２      センサー
３      点火装置
４      ガス発生剤
５      エアバッグ
６      ガス
７      視覚アラーム
８      聴覚アラーム
９      味覚アラーム
１０    触覚アラーム
１１    嗅覚アラーム
１２    ドリンクアラームセンサーアラーム変換装置
【図１】
0003134141.tif 000003
【手続補正書】
【提出日】平成19年3月1日(2007.3.1)
【手続補正１】
【補正対象書類名】実用新案登録請求の範囲
【補正対象項目名】全文
【補正方法】変更
【補正の内容】
【実用新案登録請求の範囲】
【請求項１】
飲酒状態検査デバイスを具え、その検査結果により飲酒運転禁止のアラームを運転手又はその乗客に知らせるアラーム装置を具備した鉄道・自動車・飛行機・船が含まれる飲酒運転禁止装置付き乗りもの。
【請求項２】
飲酒状態検査デバイスの検査結果シグナルでマニュアル又は自動的にスイッチ等で信号を各種アラーム装置に伝えるセンサーアラーム変換装置を具備した事を特徴とする請求項１記載の飲酒運転禁止装置付き乗りもの。
【請求項３】
センサーアラーム変換装置により視覚アラームとするための赤色点滅ランプetcを具備した事を特徴とする請求項１記載の飲酒運転禁止装置付き乗りもの。
【請求項４】
センサーアラーム変換装置により聴覚アラームとするためのブザー音発生ブザーetcを具備した事を特徴とする請求項１記載の飲酒運転禁止装置付き乗りもの。
【請求項５】
センサーアラーム変換装置により味覚アラームとするためのインクジェットプリンターのインクジェットデバイスetcを具備した事を特徴とする請求項１記載の飲酒運転禁止装置付き乗りもの。
【請求項６】
センサーアラーム変換装置により触覚アラームとするためのヒーターetcを具備した事を特徴とする請求項１記載の飲酒運転禁止装置付き乗りもの。
【請求項７】
センサーアラーム変換装置により嗅覚アラームとするためのヒーター点火による喫煙（タバコの煙発生装置etcを具備した事を特徴とする請求項１記載の飲酒運転禁止装置付き乗りもの。
【請求項８】
センサーアラーム変換装置によりセンサー点火装置、ガス発生剤、エアバッグ、ガスで構成駆動されるエアバッグアラームとするためのエアバッグを具備した事を特徴とする請求項１記載の飲酒運転禁止装置付き乗りもの。
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
飲酒状態検査デバイスを具え、その検査結果により飲酒運転禁止のアラームを運転手又はその乗客に知らせるアラーム装置を具備した飲酒運転禁止装置付き乗りもの。（鉄道・自動車・飛行機・船）
【請求項２】
飲酒状態検査デバイスの検査結果シグナル（ドリンクアラームと称しマニュアル又は自動的にＳＷ等で信号を伝える。）を前述のアラーム装置に理解できるセンサーアラーム変換装置を具備した飲酒運転禁止装置付き乗りもの。
【請求項３】
前述のセンサーアラーム変換装置により理解できる信号出力の対応としての視覚アラーム（赤色点滅ランプ）を具備した飲酒運転禁止装置付き乗りもの。
【請求項４】
前述のセンサーアラーム変換装置により理解できる信号出力の対応として聴覚アラーム（ブザー音発生ブザー）を具備した飲酒運転禁止装置付き乗りもの。
【請求項５】
前述のセンサーアラーム変換装置により理解できる信号出力の対応としての味覚アラーム（インクジェットプリンターのインクジェットデバイス）を具備した飲酒運転禁止装置付き乗りもの。
【請求項６】
前述のセンサーアラーム変換装置により理解できる信号出力の対応としての触覚アラーム（ヒーター）を具備した飲酒運転禁止装置付き乗りもの。
【請求項７】
前述のセンサーアラーム変換装置により理解できる信号出力の対応としての嗅覚アラーム（ヒーター点火による喫煙（タバコの煙）発生装置）を具備した飲酒運転禁止装置付き乗りもの。
【請求項８】
前述のセンサーアラーム変換装置により理解できる信号出力の対応としてのエアバッグ（センサー点火装置、ガス発生剤、エアバッグ、ガスで構成される。）を具備した飲酒運転禁止装置付き乗りもの。
【手続補正書】
【提出日】平成19年5月31日(2007.5.31)
【手続補正１】
【補正対象書類名】実用新案登録請求の範囲
【補正対象項目名】全文
【補正方法】変更
【補正の内容】
【実用新案登録請求の範囲】
【請求項１】
飲酒状態検査デバイスを具え、その検査結果により飲酒運転禁止のアラームを運転手又はその鉄道・自動車・飛行機・船の乗客に知らせるアラーム装置を具備した飲酒運転禁止装置付き乗りもの。
【請求項２】
飲酒状態検査デバイスの検査結果シグナルをドリンクアラームと称しマニュアル又は自動的にＳＷ等で信号を伝えるためのアラーム装置に理解できるようにするセンサーアラーム変換装置を具備した事を特徴とする請求項１記載の飲酒運転禁止装置付き乗りもの。
【請求項３】
センサーアラーム変換装置により理解できるようにする信号出力の対応として赤色点滅ランプの視覚アラームを具備した事を特徴とする請求項１記載の飲酒運転禁止装置付き乗りもの。
【請求項４】
センサーアラーム変換装置により理解できるようにする信号出力の対応としてブザー出力の聴覚アラームを具備した事を特徴とする請求項１記載の飲酒運転禁止装置付き乗りもの。
【請求項５】
センサーアラーム変換装置により理解できるようにする信号出力の対応としてインクジェットプリンターのインクジェットデバイスの味覚アラームを具備した事を特徴とする請求項１記載の飲酒運転禁止装置付き乗りもの。
【請求項６】
センサーアラーム変換装置により理解できるようにする信号出力の対応としてヒーターの触覚アラームを具備した事を特徴とする請求項１記載の飲酒運転禁止装置付き乗りもの。
【請求項７】
センサーアラーム変換装置により理解できるようにする信号出力の対応としてヒーター点火によるタバコの煙発装置の嗅覚アラームを具備した事を特徴とする請求項１記載の飲酒運転禁止装置付き乗りもの。
【請求項８】
センサーアラーム変換装置により理解できるようにする信号出力の対応としてエアバッグセンサー点火装置、ガス発生剤、エアバッグ、ガスで構成されるエアバッグを具備した事を特徴とする請求項１記載の飲酒運転禁止装置付き乗りもの。
【手続補正２】
【補正対象書類名】明細書
【補正対象項目名】０００９
【補正方法】変更
【補正の内容】
【０００９】
１    飲酒状態検査デバイス
２    センサー
３    点火装置
４    ガス発生装置
５    エアバッグ
６    ガス
７    視覚アラーム
８    聴覚アラーム
９    味覚アラーム
１０  触覚アラーム
１１  嗅覚アラーム
１２  センサーアラーム変換装置